(57)【要約】      （修正有）【課題】本発電装置は自然エネルギー活用のみとは全く違いより多くの大容量発電の海中での安全な施工を目指しているものであり、現在迄世界中でも水深の恐怖に無す術がなかったものであるが、うなぎの稚魚の如く数千ｋｍを遊泳しながら成長する魚の如く、人間も海中での本当の恐怖の研究を行なう事となれば、短期間で大進歩する可能性は充分にあるものです。海上での大きなうねり、波動等えの対策を充分に行なえば大きな負荷を自然の海に懸ける事は殆んど無い為に近い将来に於いてより大規模な海中船の出現に依る諸々の進歩が出現する事となる。【解決手段】海中発電が将来本当に世界中で受け入れられれば、その利益は全く計算が出来ない位の厖大なものになり、多少の投資の失敗等は致し方無いものであるが、必ず大進歩の可能性は充分にあるものである。【選択図】図４
2013241929.tif 000002
【特許請求の範囲】
【請求項１】
〔図１〕の申請申容について「ドラム缶式水流回転うねり筒発電機」よりの排水を「回転扇排水室」内の「主力回転扇」に連続噴出がなされ、その回転力が上部設置の「回転扇発電機」と下部設置の「中心主軸回転筒」部分に各々接続設置がされた各回転装置部分の回転が行なわれる事となる。
まず「排海水貯留水槽内」の排水の為に「排水調整室」のＡ、Ｂ各々調整口の開閉を行ない同時に「空気入量調整装置」よりの排出空気の注入を行ない乍ら、すでに高速回転下方ひねり回転稼動となっている「排水回転押出し装置」の中え次々と放出がなされ瞬時に押し出される形で次々に海中に排出される事となる。
又その海中排出口周辺では「排出用回転渦流発生回転扇」の高速回転による強烈な回転渦流の発生がなされており、その高速回転渦流の中え「排水回転押出し装置」よりの次々と押し出される形で排出される大量の排水が上向き方向に設置がされた排出口より海中に溶け込むが如く次々と排水処理が行なわれる大容量排水設備となる。
又〔図２〕の排水設備は各発電機の停止時には本装置に接続設置がされた各発電機排出口部分に設置がされた「排水口開閉装置」により「空気侵入調整装置」と同様に深海水の逆侵入等を防ぐ為に各々空気侵入調整装置の内部閉鎖が行なわれる事となり、瞬時に逆侵入は「回転扇排水室」於いては殆んど起こらない事となる。
又水深が大変に浅い為にまず強力な逆噴出水等は起こらないものであり、その下部部分に設置がされている海中空間の働きに依り、最下部排出回転２本筒部分よりの海水の侵入はまず海中空間下部水位部分で止まる事となる。
そしてそれ以上の海水の侵入は起こり得ない事となる。
そして発電稼動を始める時には各々発電機の回転稼動に依る排海水の流入と同時に上部「噴出排海水活用主力回転扇」の回転が始まると同じくして各々「空気侵入調整装置」の開弁が行なわれて大量の空気の自然注入が行なわれる事に依り、「回転扇排水室」内の気圧は大気圏内１気圧となり、発電稼動中は同気圧の常時維持となる。
次に大切な事である発電中の大量の「回転扇排水室」内の残排水増減量の規定された一定水準迄の常時確保を行なう為に、次の通りの稼動を行なう事とする。
そして排海水量水準が多い時は、「海中空間排出調整装置」の開扉を行ない排海水を下部室「海中空間」部分に排出を行ない当然その侵入分だけの海中空間水槽内部分の空気が上部「回転扇排水室」に噴出するが当然同室内の気圧は全く影響されず、排海水を海中空間水槽内の空気の入れ替えが行なわれるだけの事となる。
そして排水量の調整が済めば「海中空間排出調整装置」の閉鎖となり終了する。
そしてその時に回転扇排水室からの大量の排海水の侵入に依り「海中空間」部分の空気は当然少なくなるが、次の排海水の流入準備の為と、新たに流入した大量の排海水の外海えの放出の為に次の作業が行なわれる事となる。
そして次の通りの大量の排海水の外海排出が起これば極端な負圧状態の解消の為に「大容量空気高圧注入排出装置」より大量の大気圏内の空気注入が行なわれる事となり瞬時に海中空間水槽内の負圧は消滅する事となる。そしてその時には「排海水用降下水筒１６本」設置の各排水筒口が同時に開口が行なわれると瞬時に「排海水強力渦流発生回転扇」の強烈な回転渦流の中え吸い込まれるが如く「排海水用降下水筒１６本」の各うねり排水筒より排水が行なわれ、「海中空間水槽」内の規定定位置迄の排水が終了すれば「排海水用降下水管１６本」の閉鎖が行なわれる事となる。
そして「海中空間水槽」内の「大容量空気高圧注入排出装置」の閉鎖が行なわれ、再び「海中空間」が「海中空間水槽」内に大容量海中空間として出現し、次の大量の排水に充分に対応可能となり、「回転扇排水室」よりの排海水の２段構え大容量排出機構の現出となる。
又諸々の気象状況の激変等、厳しい自然現象に即応する為に「排海水予備貯留室」を数ヶ所に設置を行ない発電船自体に潜水機能を持たせ５ｍ〜１０ｍ程潜水を行なっても海中で充分な従来通りの発電稼動と排水活動は継続されるものであり、外海喫水線部分に潜水可能とするだけの防潮位壁等の設置を同時に施工を行なうものとなり、四六時中海中発電稼動を行なう海中発電設備である。
【発明の詳細な説明】
【技術分野】
【０００１】  海上部分に各々「ドラム缶式水流回転うねり筒発電機」数基を設置をし、その排水を各々発電船内に於いて排水処理を行ない、双方共最深部に設置された「回転扇」による強力な回転渦流の中え放出を行ない発電を継続させるものである。【０００２】  本発明は各々が画期的な発見に依る新技術であり、産業にとっては大切な新産業発電方法の発見となる。【０００３】  以上の通り図１〜図４にて説明する。【０００４】  各々の各排水設備方法別に各海中発電船を〔図１〕〔図２〕の様に設置を行なう事とする。
２方法とも排水方法は全く違ったものであるが、排水噴出力の活用に依る「主力回転扇」の回転を行なうもので、その稼動回転力を双方共活用する事となり、最終排出口部分には排水用回転扇が設置されており、各々回転渦流の中え排海水が放出されて海中に溶け込んで行く事となる。
まず図１図４の通り、強烈な逆噴射海水の防止の為の「海水侵入防止装置」の設置を行ない逆噴出の防止を行ない、次に大量の排水をまず図４の通り「排海水貯留水槽第一水槽」と「第二水槽」内に次々と貯留を行ない乍ら、「中心主軸回転筒」に接続された「排水回転押出し装置」部分に「排水調整室」よりの排水を排出し、その回転排水排出力を活用した排水設備であり、上部「排海水貯留水槽第一、第二水槽内は殆んど大気圧圏内気圧であるが、「排水調整室」内は常に負圧が発生する為に常に「排水調整室」内での空気入量調整装置」からの空気の搬入を行なうもので、継続した大量の排水の船外放出が行なわれる事となり、その排水は、最下部に設置された「排出用回転渦流発生回転扇」の回転により発生した渦流の中えと排出されるものである。
そして図２部分の排出方法は２段構えの各々排水室を設け、その各々排水筒「二本筒回転排出塔」と下部「排海水用降下水筒１６本」の内え各々に排水が流入しほぼ図１と同じ状態で放出が行なわれる大容量排出設備であり、そして当然「二本筒回転排水塔」部分内の２本うねり筒部分のみが常時排出回転をしているものであり、下部「排海水用降下水筒１６本」部分は常時「二本筒回転排出塔」外筒部分に固定されており、「海中空間水槽室」内への高圧空気の噴出を行ない乍らの「排海水用降下水筒１６本」の開閉蓋の「開閉」操作を行ない水筒１６本の排水排出口より外海回転渦流への排出が行なわれるものであり、上下各々排出筒の活用に依る安定した大容量排水装置となり、充分に産業用海中発電装置として活躍するものである。【０００５】
【特許文献】特にありません。
【発明の概要】
【発明が解決しようとする課題】  出来るだけ海上面より浅い水深部分での大量排水の可能性を求めている時に偶然に各々発見したものであり、各々別々に記した通り、産業発電設備としての大容量発電を目指している装置であるが、想像以上に簡単な排水設備の設置に依る排水が出来る方法を考案したものであり〔図１〕内の「海水侵入防止装置全体図」は大切な逆噴出水の侵入を回転軸部分で防止する為の図であり実際の設置現物は数ｍもあれば充分であるが大切な詳細図として大きく書いたものであり、〔図４〕内の海中船内に於けるごく僅かの面積部分しか占める事しかない設備装置である。
【課題を解決するための手段】  完全に近い自然エネルギーのみの活用では全く発電量に問題があり、石油、原子力、石炭、ガス各々発電も必ず何かを利用しての発電となっているものである。
発電後に発生する大量の排水を海上面に出来るだけ近い処で処理が出来れば当然少しの水圧対策で良く、設備投資が大幅に軽減される事となり、今迄世界中で全く例の無い海中発電の出現が大きく前進する事となり「水車」利用の時代から大きく変化をする為の考案だと思います。
いかに次々と流入して来る排水を海中に排出する事は当然誰も想像もした事ないものであり当然完壁な方法で、無ければ全く意味の無いものであるが、自宅で小さな実験装置に依り「海中空間」の存在と活躍を確実に確かめたものであり、慎重に数百回となく思考したものであり、各々排出方法は万全の方法であると思います。
【発明の効果】  海上、川中、湖、等々厖大な発電量を全世界で通用活躍が出来る海中発電であり、最重要な大量排水方法を考案が出来たものであり、まだまだ今後共次々と改良が行なわれ僅か１０年後には世界中で大活躍する発電設備装置である。
【図面の簡単な説明】
【図１】大量の排海水で「主力回転扇」の回転が起こり、その回転稼動力で上部設置の「回転扇発電」と各々設置の回転扇部分の回転を行ない、その排水が次々と「排水回転押出し装置」内に流入が行なわれ最下部に設置の「排出用回転渦流発生回転扇」の回転に依る回転渦流内に次々と排出が行なわれるものである。
【図２】大量の排海水噴出力で「主力回転扇」の回転を行ないその回転力で「二本筒回転排出塔」内の「円筒部分」の回転を行ない、もし大量の排海水発生に依る「回転扇排水室」内で滞留等が発生した時には下部「海中空間水槽」内に諸々の装置を使って排水を行ない、その排水を「排海水用降下水筒１６本」部分内に次々と排出が行なわれる事となり一定排出量が二段構えで確実に確保がされて常時安定した排水が行なわれる事となる。
【図３】数台づつの各発電機を満潮時、干潮時各々方向に設置を行ない、数台横並びにする事に依るより強い潮流の確保を狙った設置図である。
【図４】〔図１〕内の「海水侵入防止装置全体図の修正設置図である。
【発明を実施するための形能】
〔図１〕中心部分に描かれた「海水侵入防止装置」は逆噴射侵入水圧を防く為の大切な装置であり、本装置の活躍に依り本海中排水が大きく前進する事となる。
その装置内の一番下部分に描かれた回転扇部分に依り仮に侵入水のある時にはより軽快な回転軸の稼動となり、同時に「高圧空気噴出と侵入海水吸上げ装置」に依り、その侵入水は装置外にも排出される事となる。
又排水の為に次々と「排水調整室」より排水が行なわれ、「排水回転押出し装置」により次々と外海回転渦流内に排水が行なわれる事となる。
〔図２〕「主力回転扇」の稼動迄は図１と全く同じでありその排水は大きな回転渦流を起こしながら「二本筒回転排出塔」内えと吸い込まれる事となる。
そして排水が滞る時には下部「海中空間水槽」内に排出を行ない、その「海中空間水槽」内より「排海水用降下水筒１６本」内に排水を放出し外海部分え渦流回転を活用して排水を行なうものである。
〔図３〕満干潮時の海流力と数台の発電装置を並べる事に依りより強い潮流の活用を狙った設置図であり、同時その排海水噴出の効率を狙った設置配置図である。
〔図４〕本排水設備に於いて重要な役目を行なう「海水侵入防止装置」の修正図となるもので僅か数ｍの幅で充分に設置が出来るものである。
【図１】
2013241929.tif 000003
【図２】
2013241929.tif 000004
【図３】
2013241929.tif 000005
【図４】
2013241929.tif 000006